(57)【要約】【課題】移動局装置Ａ１〜Ａ１５の速度を判定する速度判定装置（例えば、基地局装置４）を提供する。【解決手段】移動局装置の無線通信品質情報を取得する品質情報取得手段、当該情報を記憶する品質情報記憶手段、当該情報の時間的な推移に関する所定の統計値を演算する統計値演算手段、複数の速度のそれぞれについて予め設定された統計値を記憶する統計値記憶手段、演算された統計値と各速度毎に記憶された統計値との所定の誤差を演算する誤差演算手段、最も小さい誤差に対応した速度に基づいて移動局装置の速度を判定する速度判定手段を備えた。【選択図】  図１
2011069722.tif 000002
【特許請求の範囲】
【請求項１】
移動局装置の速度を判定する速度判定装置において、
前記移動局装置の無線通信品質情報を取得する品質情報取得手段と、
前記品質情報取得手段により取得された前記移動局装置の無線通信品質情報を記憶する品質情報記憶手段と、
前記品質情報記憶手段に記憶された前記移動局装置の無線通信品質情報に基づいて、当該無線通信品質情報の時間的な推移に関する所定の統計値を演算する統計値演算手段と、
前記移動局装置の複数の速度のそれぞれについて、前記所定の統計値に対応する予め設定された統計値を記憶する統計値記憶手段と、
前記移動局装置の複数の速度のそれぞれについて前記統計値記憶手段に記憶された統計値毎に、前記統計値演算手段により演算された統計値と前記統計値記憶手段に記憶された統計値との所定の誤差を演算する誤差演算手段と、
前記移動局装置の複数の速度について前記誤差演算手段により演算された誤差の中で最も小さい誤差に対応した速度に基づいて前記移動局装置の速度を判定する速度判定手段と、
を備えたことを特徴とする速度判定装置。
【請求項２】
基地局装置と移動局装置とが無線通信を行う無線通信システムであって、
前記移動局装置の無線通信品質情報を取得する品質情報取得手段と、
前記品質情報取得手段により取得された前記移動局装置の無線通信品質情報を記憶する品質情報記憶手段と、
前記品質情報記憶手段に記憶された前記移動局装置の無線通信品質情報に基づいて、当該無線通信品質情報の時間的な推移に関する所定の統計値を演算する統計値演算手段と、
前記移動局装置の複数の速度のそれぞれについて、前記所定の統計値に対応する予め設定された統計値を記憶する統計値記憶手段と、
前記移動局装置の複数の速度のそれぞれについて前記統計値記憶手段に記憶された統計値毎に、前記統計値演算手段により演算された統計値と前記統計値記憶手段に記憶された統計値との所定の誤差を演算する誤差演算手段と、
前記移動局装置の複数の速度について前記誤差演算手段により演算された誤差の中で最も小さい誤差に対応した速度に基づいて前記移動局装置の速度を判定する速度判定手段と、
を備えたことを特徴とする無線通信システム。
【発明の詳細な説明】
【技術分野】
【０００１】
本発明は、例えば、ＷｉＭＡＸなどの無線通信システムにおいて、無線伝搬路の通信品質情報のみで、移動局装置の移動速度を推定する技術に関する。
【背景技術】
【０００２】
例えば、無線通信システムの無線基地局装置などでは、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）によるＩＥＥＥ８０２．１６ｅ規格又は類似の無線規格のＭＡＣスケジューラが実施されている。
このようなシステムでは、無線基地局装置と移動局装置との無線通信の品質（ＣＱＩ：Ｃｈａｎｎｅｌ  Ｑｕａｌｉｔｙ  Ｉｎｄｉｃａｔｏｒ）や、ＱｏＳ（Ｑｕａｌｉｔｙ  ｏｆ  Ｓｅｒｖｉｃｅｓ）や、バッファの滞留量などを考慮して、共通の無線チャネルでパケットを送信すべき（単一或いは複数の）ユーザを選択することが行われ、一般に、この機能をＭＡＣスケジューラと呼んでいる。
ＱｏＳのクラスとしては、固定割当（ＵＧＳ）、リアルタイムサービス（ｒｔＰＳ）、非リアルタイムサービス（ｎｒｔＰＳ）、ベストエフォート（ＢＥ）がある。
【先行技術文献】
【特許文献】
【０００３】
【特許文献１】特開２００９−１４１９５０号公報
【発明の概要】
【発明が解決しようとする課題】
【０００４】
ところで、複数の端末装置を有する無線基地局装置には、規模の大小の違いはあるが、スケジューラ機能部が実装されており、無線伝搬路の状況に適応させたスケジューリングを行うものが存在する。特に、端末装置が移動する通信システムにおいては、各移動局装置の移動速度情報を用いることにより、通信品質を向上させる機能が実装されている場合が多い。
【０００５】
例えば、適応変調機能では、移動局装置の移動速度に応じて、変調方式を選択するときに使用するＣＱＩ対変調方式の指標を使い分けることが考えられ、ＦＥＣ（Ｆｏｒｗａｒｄ  Ｅｒｒｏｒ  Ｃｏｒｒｅｃｔｉｏｎ）適応機能では、移動局装置の移動速度に応じて、ＦＥＣのブロック長を変化させることが考えられ、ハンドオーバー機能では、移動速度が速い移動局装置を優先させることが考えられ、他にも種々なものが考えられる。
【０００６】
このように、スケジューリングに各移動局装置の移動速度を反映させられる場合には、前述の制御機能の精度向上が見込まれるが、全ての無線システムにおいて、移動局装置の移動速度を無線基地局装置へ通知する機能を有しているとは限らない。
このような機能を有していないシステムでは、移動局装置の移動速度を用いずに、スケジューリングを行う場合や、移動速度情報とは異なる情報から移動速度を推定するなどしてスケジューリングを行う場合がある。
しかしながら、移動速度の推定方法には一長一短があり、スケジューリングの目的に適した推定方法が存在しないのが実情である。
【０００７】
本発明は、このような従来の事情に鑑み為されたもので、例えば、ＷｉＭＡＸなどの無線通信システムにおいて、無線伝搬路の通信品質情報のみで、移動局装置の移動速度を推定できるようにすることを目的とする。
【課題を解決するための手段】
【０００８】
上記目的を達成するため、本発明では、移動局装置の速度を判定する速度判定装置において、次のような構成とした。
すなわち、品質情報取得手段が、前記移動局装置の無線通信品質情報を取得する。品質情報記憶手段が、前記品質情報取得手段により取得された前記移動局装置の無線通信品質情報を記憶する。統計値演算手段が、前記品質情報記憶手段に記憶された前記移動局装置の無線通信品質情報に基づいて、当該無線通信品質情報の時間的な推移に関する所定の統計値を演算する。統計値記憶手段が、前記移動局装置の複数の速度のそれぞれについて、前記所定の統計値に対応する予め設定された統計値を記憶する。誤差演算手段が、前記移動局装置の複数の速度のそれぞれについて前記統計値記憶手段に記憶された統計値毎（つまり、速度毎）に、前記統計値演算手段により演算された統計値と前記統計値記憶手段に記憶された統計値との所定の誤差を演算する。速度判定手段が、前記移動局装置の複数の速度について前記誤差演算手段により演算された誤差の中で最も小さい誤差に対応した速度に基づいて前記移動局装置の速度を判定する。
また、本発明では、基地局装置と移動局装置とが無線通信を行う無線通信システムにおいて、次のような構成とした。
すなわち、品質情報取得手段が、前記移動局装置の無線通信品質情報を取得する。品質情報記憶手段が、前記品質情報取得手段により取得された前記移動局装置の無線通信品質情報を記憶する。統計値演算手段が、前記品質情報記憶手段に記憶された前記移動局装置の無線通信品質情報に基づいて、当該無線通信品質情報の時間的な推移に関する所定の統計値を演算する。統計値記憶手段が、前記移動局装置の複数の速度のそれぞれについて、前記所定の統計値に対応する予め設定された統計値を記憶する。誤差演算手段が、前記移動局装置の複数の速度のそれぞれについて前記統計値記憶手段に記憶された統計値毎（つまり、速度毎）に、前記統計値演算手段により演算された統計値と前記統計値記憶手段に記憶された統計値との所定の誤差を演算する。速度判定手段が、前記移動局装置の複数の速度について前記誤差演算手段により演算された誤差の中で最も小さい誤差に対応した速度に基づいて前記移動局装置の速度を判定する。
【０００９】
従って、実際における移動局装置の無線通信品質情報に基づく所定の統計値と、複数の速度のそれぞれについて予め設定された想定される統計値との所定の誤差が最小となる速度、つまり、実際における移動局装置の無線通信品質情報に基づく所定の統計値が最も近くなる予め設定された想定される統計値に対応した速度を、移動局装置の速度であると推定的に判定することができ、これにより、例えば、ＷｉＭＡＸなどの無線通信システムにおいて、無線伝搬路の通信品質情報のみで、移動局装置の移動速度を推定することができる。
【００１０】
ここで、速度判定装置は、例えば、基地局装置に設けられてもよく、或いは、他の装置に設けられてもよい。また、速度判定装置は、種々なシステムに適用されてもよい。
また、無線通信品質情報としては、種々なものが用いられてもよく、例えば、ＣＱＩの値を用いることができる。
また、無線通信品質情報を取得する手法としては、例えば、移動局装置から受信して取得する手法や、或いは、他の装置（例えば、基地局装置）から受信して取得する手法を用いることができる。
【００１１】
また、品質情報記憶手段や統計値記憶手段としては、それぞれ、例えば、メモリを用いて構成することができる。
また、品質情報記憶手段では、例えば、時間的に推移（変化）する複数の時点における無線通信品質情報を記憶する。この複数の時点としては、例えば、フレーム単位の時点（１フレーム分の時間毎の時点）を用いることができる。
【００１２】
また、無線通信品質情報の時間的な推移に関する所定の統計値としては、種々なものが用いられてもよい。
また、予め設定される統計値としては、種々なものが用いられてもよく、例えば、実測値に基づくものや、理論値に基づくものを用いることができる。
また、統計値に関する所定の誤差としては、種々なものが用いられてもよい。
【００１３】
一例として、無線通信品質情報の時間的な推移に関する所定の統計値として、所定の期間に含まれる複数の時点の無線通信品質情報について、１種類以上の時間差Δｔ毎に、無線通信品質情報の差分（偏差）を演算して当該差分（偏差）の発生確率を演算した結果（偏差の各範囲毎における発生確率の値）を用いることができ、また、所定の誤差として、全ての時間差Δｔについて且つ全ての偏差の範囲について、演算された所定の統計値（発生確率の値）と予め設定された統計値（発生確率の値）との誤差を総和した結果の値を用いることができる。
【００１４】
また、予め設定される統計値を複数の速度のそれぞれ毎に対応して設ける構成ばかりでなく、他の構成例として、移動局装置が基地局装置へ近づいているか或いは移動局装置が基地局装置から遠ざかっているかなどの状況と移動局装置の速度の組み合わせ毎に、複数の組み合わせについて予め想定される統計値を設定しておくような構成を用いることもでき、この構成では、これら複数の組み合わせの中で最も近いもの（所定の誤差が最も小さいもの）を判定することができる。
【発明の効果】
【００１５】
以上説明したように、本発明に係る速度判定装置によると、例えば、ＷｉＭＡＸなどの無線通信システムにおいて、無線伝搬路の通信品質情報のみで、移動局装置の移動速度を推定することができる。
【図面の簡単な説明】
【００１６】
【図１】本発明の一実施例に係るＷｉＭＡＸシステムにおけるネットワークの構成例を示す図である。
【図２】ＷｉＭＡＸの無線フレームの構成例を示す図である。
【図３】ＷｉＭＡＸ基地局装置の構成例及びＷｉＭＡＸ端末装置の構成例を示す図である。
【図４】各フェージングモデルのパラメータの一例を示す図である。
【図５】ＣＱＩの時間推移（実測値）の一例を示す図である。
【図６】ＣＱＩ偏差の計算方法の一例を説明するための図である。
【図７】Δｔ１〜Δｔ３毎のＣＱＩ偏差の発生確率の例を示す図である。
【図８】経過時間（Δｔ）毎のＣＱＩ偏差の特徴の一例を示す図である。
【図９】ＣＱＩ偏差の計算方法の一例を説明するための図である。
【図１０】ヒストグラムの範囲の一例を示す図である。
【図１１】ＣＱＩ偏差の発生確率の例を示す図である。
【図１２】ＣＱＩの時間推移の一例を示す図である。
【発明を実施するための形態】
【００１７】
本発明に係る実施例を図面を参照して説明する。
本実施例では、効果的に説明する目的で、まず、従来技術と同様な技術を適用することが可能な構成について説明し、その後、本実施例に特徴的な構成（移動端末装置の速度判定のための構成）について、従来技術と異なる点を中心に説明する。
【００１８】
図１には、本発明の一実施例に係るＷｉＭＡＸシステムにおけるネットワークの構成例を示してある。
本例のシステムでは、ＣＳＮ（Ｃｏｎｎｅｃｔｉｖｉｔｙ  Ｓｅｒｖｉｃｅ  Ｎｅｔｗｏｒｋ）２がコアネットワーク１と接続されており、ＣＳＮ２、ＡＳＮ−ＧＷ（Ａｃｃｅｓｓ  Ｓｅｒｖｉｃｅ  Ｎｅｔｗｏｒｋ−ＧａｔｅＷａｙ）３、無線基地局装置（ＷｉＭＡＸ基地局装置）４が直列に接続されており、また、複数の端末装置（ＷｉＭＡＸ端末装置）Ａ１〜Ａ１５が存在する。
コアネットワーク１は、本例では、インターネット網を表している。
【００１９】
次に、ＷｉＭＡＸシステムにおける上位側から説明する。
最も上位のＣＳＮ２は、ＷｉＭＡＸシステムとコアネットワーク１のＩＰ（Ｉｎｔｅｒｎｅｔ  Ｐｒｏｔｏｃｏｌ）接続サービスを行う装置であり、ＡＡＡ（Ａｕｔｈｅｎｔｉｃａｔｉｏｎ、Ａｕｔｈｏｒｉｚａｔｉｏｎ、Ａｃｃｏｕｎｔ）やＷｉＭＡＸ端末装置Ａ１〜Ａ１５のネットワークエントリ／Ｅｘｉｔの管理などを行う。
【００２０】
次に上位のＡＳＮ−ＧＷ３は、複数のＷｉＭＡＸ基地局装置４を管理し、また、ＣＳＮ２とＷｉＭＡＸ端末装置Ａ１〜Ａ１５との間でやり取りされるＡＡＡなどの制御メッセージの転送を行う。
次に、ＷｉＭＡＸ基地局装置４は、複数のＷｉＭＡＸ端末装置Ａ１〜Ａ１５と無線通信により接続され、移動性を持つＷｉＭＡＸ端末装置についてはハンドオーバーなどの機能を提供して、接続性を確保する。
次に、ＷｉＭＡＸ端末装置Ａ１〜Ａ１５（＃１〜＃１５）は、ＷｉＭＡＸ基地局装置４を介して、無線アクセス機能をユーザへ提供する。
【００２１】
次に、ＷｉＭＡＸ端末装置Ａ１〜Ａ１５からＷｉＭＡＸ基地局装置４へ通知されている無線伝搬路の品質情報（ＣＱＩ）の伝送方法について説明する。なお、この伝送は、従来技術においても行われている。
まず始めに、無線フレームの構成について説明する。
図２には、ＷｉＭＡＸの無線フレームの構成例を示してある。横軸は時間軸方向を示しており、縦軸は周波数軸方向を示している。
ＷｉＭＡＸでの無線フレーム区間１１は５［ｍｓｅｃ］であり、ＷｉＭＡＸ基地局装置４からＷｉＭＡＸ端末装置Ａ１〜Ａ１５への無線送信は下りサブフレーム１２で行い、ＷｉＭＡＸ端末装置Ａ１〜Ａ１５からＷｉＭＡＸ基地局装置４への無線送信は上りサブフレーム１３で行う。
【００２２】
下りサブフレーム１２は、プリアンブルの領域２１、アサイン情報（下り）の領域２２、アサイン情報（上り）の領域２３、下りデータ領域２４から構成される。
上りサブフレーム１３は、ＣＱＩフィードバック領域２５、上りデータ領域２６から構成される。
【００２３】
また、下りサブフレーム１１と上りサブフレーム１３との間には第１のガードタイム３１が設けられており、上りサブフレーム１３の後には第２のガードタイム３２が設けられている。
下りサブフレーム１１、第１のガードタイム３１、上りサブフレーム１３、第２のガードタイム３２から、無線フレームが構成されている。
【００２４】
プリアンブル（２１）は、ＷｉＭＡＸ端末装置Ａ１〜Ａ１５のＰＨＹ（物理層プロトコル部）レベルの同期や、ＲＳＳＩ（Ｒｅｃｅｉｖｅｄ  Ｓｉｇｎａｌ  Ｓｔｒｅｎｇｔｈ  Ｉｎｄｉｃａｔｏｒ）や搬送波レベル対干渉・雑音比（ＣＩＮＲ：Ｃａｒｒｉｅｒ  ｔｏ  Ｉｎｔｅｒｆｅｒｅｎｃｅ  ａｎｄ  Ｎｏｉｓｅ  Ｒａｔｉｏ）などの受信状態の判定に用いられる信号である。
アサイン情報（下り）（２２）は、下り方向の通信に関わるＭＡＣレベルの制御情報や、下りサブフレーム１２の区間の下りデータ領域２４に配置する無線送信データの配置が含まれる情報である。また、下りデータ領域２４内には複数のＷｉＭＡＸ端末装置Ａ１〜Ａ１５宛てのデータを配置することが可能であり、その領域内のデータ単位をデータバーストと呼ぶ。
【００２５】
アサイン情報（上り）（２３）は、上り方向の通信に関わるＭＡＣレベルの制御情報や、ＣＱＩフィードバック領域２５内で各ＷｉＭＡＸ端末装置Ａ１〜Ａ１５が送信する配置や、上りサブフレーム１３の区間の上りデータ領域２６に配置する無線送信データの配置が含まれる情報である。また、上りデータ領域２６内には複数のＷｉＭＡＸ端末装置Ａ１〜Ａ１５からＷｉＭＡＸ基地局装置４宛てのデータを配置することが可能であり、その領域内のデータ単位をデータバーストと呼ぶ。
第１のガードタイム３１や第２のガードタイム３２は、ＷｉＭＡＸ基地局装置４とＷｉＭＡＸ端末装置Ａ１〜Ａ１５の無線送信信号が衝突しないように設けられた無送信区間である。
【００２６】
次に、ＷｉＭＡＸ基地局装置４とＷｉＭＡＸ端末装置Ａ１〜Ａ１５の装置内機能構成について説明する。
図３には、ＷｉＭＡＸ基地局装置４の構成例及びＷｉＭＡＸ端末装置Ａ１〜Ａ１５の構成例を示してある。
本例のＷｉＭＡＸ基地局装置４は、ネットワークインタフェース部（ネットワークＩ／Ｆ部）４１、ＷｉＭＡＸのＭＡＣ部４２、ＷｉＭＡＸのＰＨＹ部４３、アンテナ４４を備えている。
本例のＷｉＭＡＸ端末装置Ａ１〜Ａ１５（これらをまとめて、ＷｉＭＡＸ端末装置Ａと言う）は、アンテナ５１、ＷｉＭＡＸのＰＨＹ部５２、ＷｉＭＡＸのＭＡＣ部５３、アプリケーション部５４を備えている。
【００２７】
ＷｉＭＡＸ基地局装置４について説明する。
ネットワークＩ／Ｆ部４１は、上位装置であるＡＳＮ−ＧＷ３とのインタフェースとして機能する。
ＭＡＣ部４２は、ＷｉＭＡＸ基地局装置４から無線送信するデータのスケジューリングを行う機能や、ＷｉＭＡＸ端末装置Ａから無線送信されたデータをネットワークＩ／Ｆ部４１へ通知する機能を有する。
ＰＨＹ部４３は、ＭＡＣ部４２から通知されたデータを無線送信データへ変換し、無線フレームタイミングに同期させてアンテナ４４から無線送信する機能や、ＷｉＭＡＸ端末装置Ａから無線送信されてアンテナ４４で受信したデータをデコードしてＭＡＣ部４２へ通知する機能を有する。
【００２８】
ＷｉＭＡＸ端末装置Ａについて説明する。
ＷｉＭＡＸ端末装置Ａでは、ＷｉＭＡＸ基地局装置４から無線送信される情報が、アンテナ５１、ＰＨＹ部５２、ＭＡＣ部５３を介して、アプリケーション部５４へ通知される。また、ＷｉＭＡＸ端末装置Ａでは、アプリケーション部５４により生成したデータが、ＭＡＣ部５３、ＰＨＹ部５２、アンテナ５１を介して無線送信されて、ＷｉＭＡＸ基地局装置４へ通知される。
【００２９】
次に、本実施例で使用するＷｉＭＡＸ端末装置Ａ１〜Ａ１５からの報告値であるＣＱＩ値と、ＣＱＩの時間推移について説明する。
ＣＱＩ値について説明する。
ＷｉＭＡＸ端末装置Ａ１〜Ａ１５は、図２に示される無線フレームの構成中のプリアンブル（２１）を受信した後、その受信したプリアンブル信号からＣＩＮＲを計測し、その計測値を１〜３１の整数値に量子化した値をＣＱＩ値としてＷｉＭＡＸ基地局装置４へ無線送信してフィードバックする。このときのフィードバック周期は、設定により変更可能であるが、例えば、最短で１フレーム区間（ＷｉＭＡＸでは５［ｍｓｅｃ］）で実現可能である。
【００３０】
また、ＷｉＭＡＸ端末装置Ａ１〜Ａ１５からＷｉＭＡＸ基地局装置４へ通知されるＣＱＩの変動パターンが、移動速度によって特徴を有することを示す。
なお、以降の説明では、２つのマルチパスフェージングモデルについての実測値を一例として用いるが、本例で示したフェージングモデル以外にも本発明を適用することが可能である。
【００３１】
本例の説明では、２種類のマルチパスフェージングモデルを一例として用いる。
図４には、２つのフェージングモデルとして、「Ｐｅｄｅｓｔｒｉａｎ−Ｂ」、「Ｖｅｈｉｃｕｌａｒ−Ａ」についてのパラメータを示している。
具体的には、ＷｉＭＡＸ基地局装置４とＷｉＭＡＸ端末装置Ａ１〜Ａ１５との間で使用している無線周波数［ＧＨｚ］と端末の移動速度［ｋｍ／ｈ］、及び、各フェージングモデルにおけるマルチパスそれぞれの遅延時間［μｓｅｃ］とその減衰量［ｄＢ］を示している。
【００３２】
図５には、ＣＱＩの時間推移（実測値）の一例を示してある。横軸は無線フレーム周期を示しており、縦軸はＣＱＩ値を示している。
具体的には、図４に示されるパラメータが示す無線伝搬路環境を構築して、ＷｉＭＡＸ基地局装置４からＷｉＭＡＸ端末装置Ａ１〜Ａ１５へ図２に示される無線フレーム構成に従って無線送信し、その無線信号をＷｉＭＡＸ端末装置Ａ１〜Ａ１５が受信し、その受信信号に基づいて測定したＣＱＩ値の実測結果の例である。
【００３３】
図５に示されるＰｅｄｅｓｔｒｉａｎ−ＢとＶｅｈｉｃｕｌａｒ−Ａを比べると、時間軸方向（横軸方向）、及び、振幅方向（縦軸方向）に異なる特徴を有している。なお、図４に示されるように、Ｐｅｄｅｓｔｒｉａｎ−Ｂは時速３キロのモデルであり、Ｖｅｈｉｃｕｌａｒ−Ａは時速６０キロのモデルである。
しかしながら、通常、移動速度情報ではないＣＱＩ値をそのまま平滑化、若しくは、平均化しても、移動速度を判定するに足りる情報とはならない。
【００３４】
そこで、図５に示されるようなＣＱＩ変動パターンを人間の目が見た瞬間に取得するような情報と等価な情報を計算機に入力するために、ＣＱＩの変動パターンを数値化し、その数値化したＣＱＩ情報に基づいて、取得したＣＱＩの変動パターンがＰｅｄｅｓｔｒｉａｎ−ＢのパターンとＶｅｈｉｃｕｌａｒ−Ａのパターンのいずれに近いかを判定し、その結果、移動端末装置が高速移動中であるか或いは低速移動中であるかを判断する。つまり、Ｐｅｄｅｓｔｒｉａｎ−Ｂのパターンに近ければ低速移動中であると判断し、Ｖｅｈｉｃｕｌａｒ−Ａのパターンに近ければ高速移動中であると判断する。
【００３５】
図５に示されるものについて移動速度を判定する方式を説明する。
図６に示されるグラフＡ、Ｂ、Ｃ、Ｄを参照して、ＣＱＩ偏差の計算方法の一例として、ＣＱＩの変動パターンを数値化する方法について説明する。なお、各グラフＡ、Ｂ、Ｃ、Ｄでは、横軸は時間を示しており、縦軸はＣＱＩを示している。
【００３６】
グラフＡでは、ＷｉＭＡＸ端末装置Ａ１〜Ａ１５からＷｉＭＡＸ基地局装置４へフィードバックされるＣＱＩを時間軸方向にそのまま並べた系列を表している。グラフ中の丸印（○）がＣＱＩ値を表わしており、丸印を結ぶ実線はＣＱＩの推移をイメージしやすいように引いた近似曲線である。
数値化の第１手順として、グラフＡに示される１つのＣＱＩ系列から３種類のＣＱＩ偏差系列を計算する。
具体的には、グラフＢ、Ｃ、Ｄに示されるように、ある時刻ＴｃのＣＱＩについて、Δｔ１、Δｔ２、Δｔ３だけそれぞれ過去のＣＱＩを参照して、その差分を計算する。
【００３７】
ここで、図６では、時刻Ｔｃを代表させて示しているが、グラフＢ、Ｃ、Ｄについて、同様な計算を全時刻のＣＱＩのそれぞれについて計算する。また、計算の性質上から、初期の時刻Ｔｏｌｄ近辺のＣＱＩについては、Δｔ１〜Δｔ３の大きさによって、過去のＣＱＩを参照することができないため、過去のＣＱＩを参照することができるところまでの時刻について計算を実施する。
【００３８】
数値化の第２手順として、第１手順で求められた差分（ＣＱＩ偏差系列）についてのヒストグラムを作成する。ここでは、第１手順によって求められたΔｔ１〜Δｔ３それぞれについてのヒストグラムを作成する。このヒストグラムからは、Δｔ１〜Δｔ３が経過したときにおけるＣＱＩの変化量の分布を読み取ることができる。
【００３９】
数値化の最後の手順となる第３手順として、ＣＱＩ偏差の発生確率を求める。具体的には、作成したヒストグラム全体を、そのヒストグラムの全サンプル数で除算し、各除算結果に定数（＝１００）を乗算することで完成する。第３手順は、ＣＱＩ系列の長さに依存しない値へ変換するために行っている。
図７には、Ｐｅｄｅｓｔｒｉａｎ−Ｂ（ｐｅｄ−Ｂ）のパターンとＶｅｈｉｃｕｌａｒ−Ａ（ｖｅｈ−Ａ）のパターンのそれぞれ、及び、Δｔ１〜Δｔ３のそれぞれについて、ＣＱＩ偏差の発生確率の例を示してある。それぞれ、横軸はＣＱＩ偏差を示しており、縦軸は発生確率［％］を示している。
【００４０】
図７に示されるＣＱＩ偏差の発生確率グラフが図５に示されるＣＱＩ変動パターンの特徴を定量的に表わしている。
図８の表には、そのまとめ（Δｔ毎のＣＱＩ偏差の特徴の一例）を示している。
具体的には、Δｔ１については、短い周期での変化量と発生頻度（確率）は、Ｐｅｄｅｓｔｒｉａｎ−ＢとＶｅｈｉｃｕｌａｒ−Ａでほとんど変化が無い。Δｔ２については、ＣＱＩの変動幅が、Ｖｅｈｉｃｕｌａｒ−ＡよりもＰｅｄｅｓｔｒｉａｎ−Ｂの方が大きいことに起因して、偏差が大きい場合の発生確率がＰｅｄｅｓｔｒｉａｎ−Ｂの方が多い。換言すると、連続して一方向に変化している。Δｔ３については、ＣＱＩの変動幅が、Ｖｅｈｉｃｕｌａｒ−ＡよりもＰｅｄｅｓｔｒｉａｎ−Ｂの方が大きいことに起因して、Δｔ２についての現象がΔｔ２のときよりも顕著に現れている。
【００４１】
なお、図８に示される特徴は、図４に示されるパラメータのフェージングモデルにおけるＣＱＩ情報の特徴であるため、あらゆる無線通信システムにおけるＣＱＩの変動に図８に示されるような特徴が現れるとは限らない。
【００４２】
図８に示される通り、各フェージングパターンの特徴を数値化することができた。
詳細な説明をする前に、ＷｉＭＡＸ基地局装置４により行われる処理の概要（処理１）〜（処理４）を以下にまとめる。
（処理１）各種の移動速度におけるＣＱＩ偏差情報を比較用として、予めメモリなどに保持しておく。
（処理２）接続中のＷｉＭＡＸ端末装置Ａ１〜Ａ１５のＣＱＩ偏差の統計をとる。
（処理３）（処理１）と（処理２）のＣＱＩ偏差情報を比較して、（処理２）の偏差情報が（処理１）のいずれの偏差情報に一番近いかを判定する。
（処理４）ＷｉＭＡＸ端末装置Ａ１〜Ａ１５の移動速度が、一番近かった偏差情報の移動速度であったと判定する。
【００４３】
また、移動速度を判定するための計算方法について説明する前に、（処理１）において事前に準備するＣＱＩ偏差情報について更に説明しておく。
本例では、２種類以上の移動速度のＣＱＩ偏差情報を準備しなければ、（処理２）〜（処理４）の手順を実施することができなくなるため、事前に準備するＣＱＩ偏差情報は極めて重要である。
【００４４】
事前に準備するＣＱＩ偏差情報の取得方法としては、例えば、ＷｉＭＡＸ端末装置Ａ１〜Ａ１５の使用が想定される条件に基づいて、屋外や実験室での実機を用いたデータ取得により、ＣＱＩ偏差情報を取得する方法や、若しくは、シミュレーションによるデータ取得により、ＣＱＩ偏差情報を取得する方法などを用いることが可能である。
なお、図４に示される実測値は、実験室において、ＷｉＭＡＸ基地局装置４とＷｉＭＡＸ端末装置Ａ１〜Ａ１５との間にフェージングシミュレータを挿入して、マルチパス環境を構築した測定系によって測定した値である。
【００４５】
また、各ＷｉＭＡＸ基地局装置４がカバーするエリアによってマルチパス環境が異なることが予想されるため、事前に準備するＣＱＩ偏差情報については、適用される環境に応じた調整が必要になる場合が考えられる。いずれにしても、ＣＱＩ偏差情報をどのように準備するか、また、どのようなパターンのＣＱＩ偏差情報を準備するかについては、運用時の条件により異なるため、適したものが準備されればよく、特に限定はない。
【００４６】
次に、移動端末装置（本例では、ＷｉＭＡＸ端末装置Ａ１〜Ａ１５）の移動速度を判定（検出）するための計算方法について説明する。
まず、ＷｉＭＡＸ基地局装置４は、各ＷｉＭＡＸ端末装置Ａ１〜Ａ１５から報告されるＣＱＩをＷｉＭＡＸ端末装置単位で保持する必要があり、この情報は図３に示されるＷｉＭＡＸ基地局装置４内のＭＡＣ部４２内に配置されて管理される。
ＣＱＩの管理は、ＷｉＭＡＸ端末装置Ａ１〜Ａ１５から通知される最新のＣＱＩから任意の過去のＣＱＩまで連続して保持させることが必要である。これらが満足される管理方法であれば、本例では、特に管理方法は限定されない。
【００４７】
ＣＱＩの管理に関連して、ＣＱＩを保持する期間について説明する。
本例では、ＣＱＩの平滑化（平均化）は行わず、発生頻度確率の統計をとることとするため、ＣＱＩを保持する期間を長くすると、ＷｉＭＡＸ基地局装置４における計算処理量が増加することから、処理性能による限界を見極める必要がある。
逆に、ＣＱＩを保持する期間を短くし過ぎると、Ｐｅｄｅｓｔｒｉａｎ−Ｂのような長いＣＱＩの変動周期のうち、一部分の統計しか取得することができず、移動速度判定の精度が劣化することが予想される。
いずれにしても、ＣＱＩの保持期間の長さには、一長一短があるため、システムに求められている精度とハードウエア的要因を見極めて、決定する必要がある。
【００４８】
ここで、移動速度を判定するＷｉＭＡＸ端末装置Ａ１〜Ａ１５の台数について説明する。
ＣＱＩの保存期間の長さに対するＷｉＭＡＸ基地局装置４の処理負荷と移動速度判定精度については、１台のＷｉＭＡＸ端末装置Ａ１〜Ａ１５の移動速度判定処理に注目した場合を説明している。その説明では、複数のＷｉＭＡＸ端末装置Ａ１〜Ａ１５がＷｉＭＡＸ基地局装置４と接続している場合においては、１台に掛かる処理量がそのまま倍増することを暗に意味しており、本例の内容を実機に実装するときには必ず考慮しなければならない要素となる。
【００４９】
この問題を解決するためには、例えば、ＷｉＭＡＸ基地局装置４の処理負荷が問題にならないぐらいＷｉＭＡＸ基地局装置４の演算処理能力を向上させることや、若しくは、スケジューラの処理によって、移動速度を判定させるＷｉＭＡＸ端末装置の数を限定させて、全てのＷｉＭＡＸ端末装置Ａ１〜Ａ１５の移動速度を判定させない処理構成とすること、などが考えられる。
しかしながら、この問題についても、「事前に準備するＣＱＩ偏差情報」についてと同様に、運用時の条件により最良な解決策が異なるため、その解決方法については種々なものが用いられてもよい。
【００５０】
図９を参照して、ＣＱＩ偏差の計算方法の一例を説明する。
図９（ａ）に示されるリストＡ（ＣＱＩのリスト）が、図６のグラフＡで示される１台のＷｉＭＡＸ端末装置のＣＱＩ系列を保持しているキューであるとする。本例では、リストＡにおいて、リストの項番０が一番古いＣＱＩであり、リストの項番Ｍ（Ｍは、２以上の複数であり、本例では、１０以上の値）が一番新しいＣＱＩとして整列している。
図６のグラフＡと図９（ａ）に示されるリストＡを対応させて説明すると、グラフＡの時刻ＴｏｌｄにおけるＣＱＩ値がリストＡのＡ［０］に格納され、グラフＡの時刻ＴｎｅｗにおけるＣＱＩ値がリストＡのＡ［Ｍ］に格納され、これらの間の時刻におけるＣＱＩ値がリストＡのＡ［１］〜Ａ［Ｍ−１］に格納される。
【００５１】
Δｔ１を１フレーム（１フレーム分の時間）としたときにおけるＣＱＩ偏差の算出方法について説明する。
Δｔ１＝１フレームにおけるＣＱＩ偏差の算出は、図９（ａ）に示されるリストＡから図９（ｂ）に示されるリストＢ（Δｔ１に関するＣＱＩ偏差リスト）を生成することである。具体的な計算としては、図９（ｂ）においてリストＢの各項に計算式が示されている通り、リストＡの第ｎ項と第（ｎ−１）項の差分がリストＢの第（ｎ−１）項となる。
同様に、Δｔ２＝５フレーム（５フレーム分の時間）であるときにおけるＣＱＩ偏差の算出は、図９（ｃ）に示されるリストＣ（Δｔ２に関するＣＱＩ偏差リスト）の生成に相当し、Δｔ３＝１０フレーム（１０フレーム分の時間）であるときにおけるＣＱＩ偏差の算出は、図９（ｄ）に示されるリストＤ（Δｔ３に関するＣＱＩ偏差リスト）の生成に相当する。
【００５２】
これらについて、まとめて計算式を示す。
リストＢ（Δｔ１＝１フレームのＣＱＩ偏差）の算出方法は、リストＢの第（ｎ−１）項＝リストＡの第ｎ項−リストＡの第（ｎ−１）項、である。リストＢについては、ｎ＝１〜Ｍとなる。
リストＣ（Δｔ２＝５フレームのＣＱＩ偏差）の算出方法は、リストＣの第（ｎ−５）項＝リストＡの第ｎ項−リストＡの第（ｎ−５）項、となる。リストＣについては、ｎ＝５〜Ｍとなる。
リストＤ（Δｔ３＝１０フレームのＣＱＩ偏差）の算出方法は、リストＤの第（ｎ−１０）項＝リストＡの第ｎ項−リストＡの第（ｎ−１０）項、となる。リストＤについては、ｎ＝１０〜Ｍとなる。
このような計算をすることで、連続したＣＱＩに基づいて、Δｔ別のＣＱＩ偏差リストを生成することができる。
【００５３】
次に、リストＢ、リストＣ、リストＤのそれぞれのヒストグラムを生成する。
本例では、ＣＱＩ値が１〜３１の整数という範囲の値を取り得ることと、ＣＱＩの１ステップがＣＩＮＲの１ｄＢに対応していることを考慮して、一例として、図１０に示されるような範囲でのヒストグラムの統計をとる。
図１０には、ＣＱＩ偏差（ｍ）について、ヒストグラムの範囲の一例を示してある。
【００５４】
そして、リストＢ、リストＣ、リストＤのそれぞれのリストの項目数で度数を割ることで、ヒストグラムから発生確率へ変換して、図１１に示されるような統計値を生成する。
図１１には、リストＢ、リストＣ、リストＤのそれぞれについて、ＷｉＭＡＸ端末装置Ａ１〜Ａ１５におけるＣＱＩ偏差の発生確率の例（実測値）を示してある。それぞれ、横軸はＣＱＩ偏差を示しており、縦軸は発生確率［％］を示している。
このように、ヒストグラムから発生確率へ変換するにより、キュー長を変更した場合においても、以降の処理の独立性が保たれる。
【００５５】
次に、例えば図７に示されるような、予めＷｉＭＡＸ基地局装置４で保持するＰｅｄｅｓｔｒｉａｎ−Ｂ、Ｖｅｈｉｃｕｌａｒ−ＡそれぞれにおけるＣＱＩ偏差情報との誤差を計算する方法について説明する。
（式１）にはＰｅｄｅｓｔｒｉａｎ−Ｂ（ｐｅｄ−Ｂ）における発生確率に関する誤差評価値の計算式の一例を示してあり、（式２）にはＶｅｈｉｃｕｌａｒ−Ａ（ｖｅｈ−Ａ）における発生確率に関する誤差評価値の計算式の一例を示してある。
【００５６】
【数１】
2011069722.tif 000003
【００５７】
【数２】
2011069722.tif 000004
【００５８】
ここで、（式１）において、ｐｅｄＢ＿Δｔ１＿ｐｒｏｂはＰｅｄｅｓｔｒｉａｎ−ＢにおけるΔｔ１（＝１フレーム）についてのＣＱＩ偏差の発生確率リストを示しており、ｐｅｄＢ＿Δｔ２＿ｐｒｏｂはＰｅｄｅｓｔｒｉａｎ−ＢにおけるΔｔ２（＝５フレーム）についてのＣＱＩ偏差の発生確率リストを示しており、ｐｅｄＢ＿Δｔ３＿ｐｒｏｂはＰｅｄｅｓｔｒｉａｎ−ＢにおけるΔｔ３（＝１０フレーム）についてのＣＱＩ偏差の発生確率リストを示している。
【００５９】
また、（式２）において、ｖｅｈＡ＿Δｔ１＿ｐｒｏｂはＶｅｈｉｃｕｌａｒ−ＡにおけるΔｔ１（＝１フレーム）についてのＣＱＩ偏差の発生確率リストを示しており、ｖｅｈＡ＿Δｔ２＿ｐｒｏｂはＶｅｈｉｃｕｌａｒ−ＡにおけるΔｔ２（＝５フレーム）についてのＣＱＩ偏差の発生確率リストを示しており、ｖｅｈＡ＿Δｔ３＿ｐｒｏｂはＶｅｈｉｃｕｌａｒ−ＡにおけるΔｔ３（＝１０フレーム）についてのＣＱＩ偏差の発生確率リストを示している。
【００６０】
また、（式１）、（式２）において、Ｂ＿ｐｒｏｂは接続中のＷｉＭＡＸ端末装置Ａ１〜Ａ１５におけるΔｔ１（＝１フレーム）についてのＣＱＩ偏差の発生確率リストを示しており、Ｃ＿ｐｒｏｂは接続中のＷｉＭＡＸ端末装置Ａ１〜Ａ１５におけるΔｔ２（＝５フレーム）についてのＣＱＩ偏差の発生確率リストを示しており、Ｄ＿ｐｒｏｂは接続中のＷｉＭＡＸ端末装置Ａ１〜Ａ１５におけるΔｔ３（＝１０フレーム）についてのＣＱＩ偏差の発生確率リストを示している。
また、（式１）、（式２）において、［ｉ］はリストにおけるｉ番目の項を示している。
また、（式１）、（式２）において、Ｌ１はΔｔ１（＝１フレーム）についてのＣＱＩ偏差の発生確率リストの範囲（項）の数を表わしており、Ｌ２はΔｔ２（＝５フレーム）についてのＣＱＩ偏差の発生確率リストの範囲（項）の数を表わしており、Ｌ３はΔｔ３（＝１０フレーム）についてのＣＱＩ偏差の発生確率リストの範囲（項）の数を表わしている。
【００６１】
（式１）、（式２）では、比較用に予めＷｉＭＡＸ基地局装置４が保持している移動速度毎のＣＱＩ偏差の発生確率リストと、接続中に統計をとっているＷｉＭＡＸ端末装置Ａ１〜Ａ１５のＣＱＩ偏差の発生確率リストについて、各対応項目の値の差分を計算した後に、絶対値をとり、その合計を計算している。そして、このような計算をΔｔ毎のリストについてそれぞれ行い、それぞれの合計を更に合計して、移動速度毎の誤差評価値としている。
これにより求められる誤差評価値は、値が小さいほど、その移動速度のＣＱＩ変動パターンに似ていることを表している。
【００６２】
そして、移動速度それぞれの誤差評価値を求めた後に、誤差評価値（ｐｅｄ−Ｂ）≧誤差評価値（ｖｅｈ−Ａ）であるときには、ＷｉＭＡＸ端末装置は高速移動中であると判定する一方、誤差評価値（ｐｅｄ−Ｂ）＜誤差評価値（ｖｅｈ−Ａ）であるときには、ＷｉＭＡＸ端末装置は低速移動中であると判定することで、ＷｉＭＡＸ端末装置Ａ１〜Ａ１５の移動速度を判定する。このようにして、各ＷｉＭＡＸ端末装置について移動速度を判定する。
本例の処理では、ＣＱＩを平滑化（平均化）しているわけではないため、ＣＱＩを保持しておいた後は、必要な周期、若しくは、不定期なタイミングで、移動速度を判定することも可能である。
【００６３】
ここで、本例の実施形態では、マルチパスフェージングモデルとして、Ｐｅｄｅｓｔｒｉａｎ−Ｂ、Ｖｅｈｉｃｕｌａｒ−Ａの２種類を用いた場合を例として説明したが、本発明は、これに限定されるものではなく、例えば、２種類以上のモデルを用いて、より高精度に速度判定を行うようにしてもよい。
【００６４】
更に、本例におけるマルチパスフェージングモデルＰｅｄｅｓｔｒｉａｎ−Ｂ、Ｖｅｈｉｃｕｌａｒ−Ａは、ＷｉＭＡＸ基地局装置４に対して一定距離を保ちながら移動している場合のモデルであるが、例えば、図１２に示されるように、Ｐｅｄｅｓｔｒｉａｎ−Ｂ、Ｖｅｈｉｃｕｌａｒ−Ａのそれぞれに関して、ＷｉＭＡＸ基地局装置４に対して接近している場合のモデルと、遠ざかっている場合のモデルを予め保持し、速度判定と同時に、ＷｉＭＡＸ基地局装置４に対して接近しているか或いは遠ざかっているかを判断するように構成してもよい。
図１２には、ＣＱＩの時間推移の一例を示してある。横軸は無線フレーム周期を示しており、縦軸はＣＱＩ値を示している。
【００６５】
また、ＣＱＩは、気象状態（例えば、晴天、降雨）、大気状態（例えば、湿度や温度）、ＷｉＭＡＸ基地局装置４の立地条件などに応じて変化するものである。このため、例えば、ＷｉＭＡＸ基地局装置４が、予め気象状態や大気状態別のモデルを保持しておき、外部から取得した或いは自己が判定した気象状態や大気状態に応じて、速度判定に使用するモデルを選択するように構成してもよい。立地条件については、例えば、実際に備え付ける場所で試験を行ってモデルを取得するようにしてもよい。
【００６６】
また、ＷｉＭＡＸ基地局装置４では、判定した速度に応じて、該当するＷｉＭＡＸ端末装置Ａ１〜Ａ１５に対する処理を変更することができる。例えば、ＷｉＭＡＸ基地局装置４は、ＣＱＩと変調方式との対応テーブルを保持しており、ＷｉＭＡＸ端末装置Ａ１〜Ａ１５からのＣＱＩとその対応テーブルに基づいて変調方式を変更する。更に、例えば、ＷｉＭＡＸ基地局装置４は、速度の速い遅いに応じて複数の対応テーブルを保持しておき、判定した速度に応じて、変調方式を変更するために使用する対応テーブルを選択する構成とすることができる。これにより、判定した速度に応じた変調方式の変更処理を実施することができ、結果的に、通信品質、通信速度の向上に寄与することができる。
【００６７】
また、例えば、ＷｉＭＡＸ基地局装置４が、判定速度に応じてＦＥＣブロック長を変化させる構成とすることもできる。
また、例えば、ＷｉＭＡＸ基地局装置４が、判定した速度に応じて、ハンドオーバーについて、通信エリア内のＷｉＭＡＸ端末装置Ａ１〜Ａ１５のうち、速度が速いと判定されたＷｉＭＡＸ端末装置を優先させるように構成することができる。これにより、高速移動時のハンドオーバーを確実に実行することができ、通信品質の向上に寄与することができる。
【００６８】
また、ＷｉＭＡＸ基地局装置４が、ＷｉＭＡＸ端末装置Ａ１〜Ａ１５が接近しているか（近づいているか）或いは遠ざかっているかを判定する場合には、ハンドオーバーについて、移動速度に加えて、遠ざかっていると判定されたＷｉＭＡＸ端末装置Ａ１〜Ａ１５を優先させるように構成することができる。これにより、より確実にハンドオーバーを実施することができ、通信品質の向上に寄与することができる。
また、本例の実施形態では、ＷｉＭＡＸ基地局装置４が速度判定を行う場合を例として説明したが、速度判定を行う機能部は、例えば、ＷｉＭＡＸ基地局装置４とは異なる別装置によって実現されてもよい。
【００６９】
以上のように、本例では、基地局装置（本例では、ＷｉＭＡＸ基地局装置４）及び移動局装置（本例では、ＷｉＭＡＸ端末装置Ａ１〜Ａ１５）を有する無線伝送（無線送受信）に関し、伝送する無線信号がフレーム構成を有するデジタル無線システムで、複数の移動局装置に対して１台の基地局装置が上り／下り方向のスケジューリング制御を実行するシステムにおいて、基地局装置が移動局装置から通知される無線通信の品質情報（本例では、ＣＱＩの値）を受信し、そして、基地局装置などが、通知された無線通信品質情報をＮ個（Ｎは、例えば、２より大きい整数）保持する機能を有し、その保持しているＮ個の無線通信品質情報の時間経過による推移の統計値を計算し、予め基地局装置などに複数保持している移動速度別の無線通信品質情報の時間推移情報と当該統計値との誤差を計算し、これにより、移動局装置の移動速度が、計算された誤差が一番小さい無線通信品質情報に属する移動速度であると判定する。
【００７０】
従って、例えば、ＷｉＭＡＸなどで、移動速度を測定及び通知する仕組みがない無線通信システムにおいても、移動端末局から通知される無線伝搬環境の報告値（本例では、ＣＱＩの値）の変動パターンを解析することで、移動速度を判定することが可能となる。
【００７１】
なお、本例では、移動局装置（本例では、ＷｉＭＡＸ端末装置Ａ１〜Ａ１５）の速度を判定する速度判定装置がＷｉＭＡＸ基地局装置４に設けられており、当該速度判定装置は、無線通信品質情報（本例では、ＣＱＩの値）を取得する品質情報取得手段、無線通信品質情報を記憶する品質情報記憶手段、所定の統計値（本例では、Δｔ１、２、３毎におけるＣＱＩ偏差の発生確率）を演算する統計値演算手段、予め設定された統計値（本例では、Δｔ１、２、３毎におけるＰｅｄｅｓｔｒｉａｎ−Ｂ、Ｖｅｈｉｃｕｌａｒ−ＡそれぞれについてのＣＱＩ偏差の発生確率）を記憶する統計値記憶手段、所定の誤差（本例では、（式１）、（式２）に示される誤差評価値）を演算する誤差演算手段、最も小さい誤差に対応した速度が移動局装置の速度であると判定する速度判定手段を有している。
【００７２】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００７３】
１・・コアネットワーク、  ２・・ＣＳＮ、  ３・・ＡＳＮ−ＧＷ、  ４・・ＷｉＭＡＸ基地局装置、  Ａ１〜Ａ１５、Ａ・・ＷｉＭＡＸ端末装置、  １１・・無線フレーム区間、  １２・・下りサブフレーム、  １３・・上りサブフレーム、  ２１・・プリアンブル、  ２２・・アサイン情報（下り）、  ２３・・アサイン情報（上り）、  ２４・・下りデータ領域、  ２５・・ＣＱＩフィードバック領域、  ２６・・上りデータ領域、  ３１、３２・・ガードタイム、  ４１・・ネットワークＩ／Ｆ部、  ４２、５３・・ＷｉＭＡＸのＭＡＣ部、  ４３、５２・・ＷｉＭＡＸのＰＨＹ部、  ４４、５１・・アンテナ、  ５４・・アプリケーション部、
【図１】
2011069722.tif 000005
【図２】
2011069722.tif 000006
【図３】
2011069722.tif 000007
【図４】
2011069722.tif 000008
【図５】
2011069722.tif 000009
【図６】
2011069722.tif 000010
【図７】
2011069722.tif 000011
【図８】
2011069722.tif 000012
【図９】
2011069722.tif 000013
【図１０】
2011069722.tif 000014
【図１１】
2011069722.tif 000015
【図１２】
2011069722.tif 000016